(57)【要約】【課題】撮像素子の高精度な傾き調整が可能であり、かつ撮像素子を取り付けるタイミングの自由度が高い撮像素子の傾き調整装置及び傾き調整方法を提供する。【解決手段】撮像光学系を支持するベース部材に対する螺合量調整に応じて当付部の光軸方向位置を変化させる複数の調整ビスと、この複数の調整ビスの当付部に合わせて光軸方向位置が変化する少なくとも一つの調整部材と、撮像素子を支持し、調整ビスの当付部に当接して光軸方向位置が決まる素子支持部材と、調整ビスの当付部に当接した状態の素子支持部材を調整部材に対して固定させる固定ビスと、を用いて撮像素子の傾き調整を行う。【選択図】図９
2014230118.tif 000002
【特許請求の範囲】
【請求項１】
撮像光学系を支持するベース部材；
上記ベース部材に螺合支持されるネジ部と、上記ベース部材に対する上記ネジ部の螺合量調整に応じて光軸方向位置を変化させる当付部とを有する複数の調整ビス；
上記複数の調整ビスの上記当付部に合わせて光軸方向位置が変化する少なくとも一つの調整部材；
撮像素子を支持し、上記複数の調整ビスの上記当付部に当接して光軸方向位置が決まる素子支持部材；及び
上記調整ビスの上記当付部に当接した状態の上記素子支持部材を、上記調整部材に対して固定させる固定ビス；
を有することを特徴とする撮像素子の傾き調整装置。
【請求項２】
請求項１記載の撮像素子の傾き調整装置において、上記調整ビスの上記当付部は上記ネジ部よりも大径の頭部からなり、上記調整部材は上記調整ビスの上記頭部のうち上記ネジ部が突出する側に当接し、上記素子支持板は上記調整ビスの上記頭部のうち上記ネジ部が突出する側と反対側に当接する撮像素子の傾き調整装置。
【請求項３】
請求項１または２記載の撮像素子の傾き調整装置において、上記素子支持部材に貫通孔が形成され、上記調整部材にビス孔が形成され、上記固定ビスは、上記素子支持部材の上記貫通孔に挿通されて上記調整部材の上記ビス孔に螺合される撮像素子の傾き調整装置。
【請求項４】
請求項１ないし３のいずれか１項記載の撮像素子の傾き調整装置において、上記複数の調整ビスの上記当付部に対して個別に当接する複数の上記調整部材を有する撮像素子の傾き調整装置。
【請求項５】
請求項１ないし３のいずれか１項記載の撮像素子の傾き調整装置において、上記複数の調整ビスの全ての上記当付部に対して当接する一体形状の上記調整部材を有する撮像素子の傾き調整装置。
【請求項６】
請求項１ないし５のいずれか１項記載の撮像素子の傾き調整装置において、３つの上記調整ビスを有している撮像素子の傾き調整装置。
【請求項７】
撮像光学系を支持するベース部材に対して複数の調整ビスを螺合支持させると共に、該複数の調整ビスにそれぞれ設けた当付部によって光軸方向位置が決まる、少なくとも一つの調整部材を組み付けるステップと；
複数の上記調整ビスの光軸方向位置を調整するステップと；
撮像素子を支持する素子支持部材を、上記複数の調整ビスの上記当付部に当接させて光軸方向位置を決めるステップと；
固定ビスによって上記素子支持部材を上記調整部材に対して固定するステップと；
を有することを特徴とする撮像素子の傾き調整方法。
【発明の詳細な説明】
【技術分野】
【０００１】
本発明は、撮像装置における撮像素子の傾き調整装置と傾き調整方法に関する。
【背景技術】
【０００２】
デジタルスチルカメラなどの撮像装置では、撮影光学系の光学像面に対して撮像素子の受光面が傾いていると、画面の一部で画像がぼやける等の不具合が生じる。その対策として、撮影光学系を構成するレンズの偏芯調整や撮像素子の角度調整を行って、光学像面と撮像素子の受光面を一致させることが行われている。レンズの偏芯位置を変更する手法では調整の結果として収差に影響が及ぶおそれがあるため、光学性能を考慮すると、光学像面に対して撮像素子の傾き調整を行うことが好ましい。
【０００３】
撮像素子の傾き調整装置は様々なものが提案されており、その一例を図１４と図１５に示す。撮影光学系を支持する筐体６０における素子取付部６１にビス孔６２が形成されている。ビス孔６２内に形成された雌ネジに対して、調整ビス６３の軸部６３ａに形成した雄ネジが螺合する。撮像素子を支持する素子取付板６４が調整ビス６３の頭部６３ｂと素子取付部６１の間に挿入されており、圧縮バネ６５の付勢力によって素子取付板６４が頭部６３ｂに押し付けられている。図１５に示すように、ビス孔６２に対する調整ビス６３の軸部６３ａの螺合量を変化させることで頭部６３ｂの位置が変化し、これに応じて、頭部６３ｂに当接している素子取付板６４の光軸方向位置が変化する。調整ビス６３は複数設けられており、各調整ビス６３の頭部６３ｂの光軸方向位置を相対的に変化させると、素子取付板６４の傾きが変化する。一般的には、自由度の高い傾き調整を行うために３つの調整ビス６３が用いられる。傾き調整の完了後に、素子取付板６４を筐体６０に対して接着やカシメ等の手法で固定する。また、調整ビス６３の頭部を素子取付板６４に接着して回転止めを行う場合もある。調整ビス６３に代えて、素子取付板６４との当接部分をカム面として形成したカム部材を用いても、同様の傾き調整が可能である。
【０００４】
撮像素子の傾き調整装置の異なる例を図１６と図１７に示す。撮影光学系を支持する筐体７０の素子取付部７１と素子取付板７４との間にスペーサ７５が挿入され、筐体７０のビス孔７２内に形成された雌ネジに対して、固定ビス７３の軸部７３ａに形成した雄ネジが螺合する。固定ビス７３を締め付けると、その頭部７３ｂとスペーサ７５の間に素子取付板７４が挟持される。異なる厚みのスペーサ７５に変更すると素子取付板６４の光軸方向位置が変化する。位置を異ならせて複数（例えば３つ）のスペーサ７５が設けられており、各スペーサ７５の厚みを相対的に異ならせると、素子取付板７４の傾きが変化する。
【先行技術文献】
【特許文献】
【０００５】
【特許文献１】特開２００１-２１８１０２号公報
【発明の概要】
【発明が解決しようとする課題】
【０００６】
近年では、撮像装置の生産態様や部品流通が多様化している。しかし、図１４および図１５のタイプの傾き調整装置では、素子取付板６４を筐体６０に組み付けた後に撮像素子の倒れ調整および解像力検査工程が必要となるため、撮影光学系を含む光学ユニットのサプライヤーが撮像素子無しの状態で光学ユニット（筐体６０）を出荷し、撮像装置の最終組立を行うメーカーで光学ユニットに対して撮像素子（素子取付板６４）を取り付けるような生産態様が成立しなかった。具体的には、図１４および図１５の構成では、接着やカシメによる素子取付板６４や調整ビス６３の固定時に位置ずれを生じるおそれがあるため、調整ビス６３による傾き調整から素子取付板６４の固定完了までを一貫して管理する必要があり、素子取付板６４の取り付けタイミングを自由に選択できなかった。また、筐体６０に対して素子取付板６４を接着やカシメで固定した後は分解が困難となるため、メンテナンスに手間がかかり、交換する部品が多くなってしまうという問題もある。
【０００７】
図１６および図１７のタイプの傾き調整装置では、スペーサ７５の取り付けまで行った段階で光学ユニットを出荷し、その後に素子取付板７４の取り付けを行っても、固定ビス７３によって素子取付板７４を精度良く固定することができる。また、固定ビス７３を用いた固定は、筐体７０からの素子取付板７４の取り外しも容易である。その一方で、撮像素子の傾き調整はスペーサ７５の厚みに依存した段階的なものとなるため、無段階の高精度な傾き調整を行えないという問題がある。また、スペーサ７５の材質によっては、固定ビス７３による締付けトルクで歪みを生じて、素子取付板７４の位置精度に影響を及ぼしてしまうおそれがある。
【０００８】
本発明は、以上の問題を解決するべく、撮像素子の高精度な傾き調整が可能であり、かつ撮像素子を取り付けるタイミングの自由度が高い撮像素子の傾き調整装置及び傾き調整方法を提供することを目的とする。
【課題を解決するための手段】
【０００９】
本発明の撮像素子の傾き調整装置は、撮像光学系を支持するベース部材；ベース部材に螺合支持されるネジ部と、ベース部材に対するネジ部の螺合量調整に応じて光軸方向位置を変化させる当付部とを有する複数の調整ビス；複数の調整ビスの当付部に合わせて光軸方向位置が変化する少なくとも一つの調整部材；撮像素子を支持し、複数の調整ビスの当付部に当接して光軸方向位置が決まる素子支持部材；及び、調整ビスの当付部に当接した状態の素子支持部材を調整部材に対して固定させる固定ビス；を有することを特徴としている。
【００１０】
調整ビスの当付部はネジ部よりも大径の頭部からなり、この調整ビスの頭部のうちネジ部が突出する側に調整部材が当接し、調整ビスの頭部のうちネジ部が突出する側と反対側に素子支持板が当接することが好ましい。
【００１１】
素子支持部材に貫通孔が形成され、調整部材にビス孔が形成され、固定ビスは、素子支持部材の貫通孔に挿通されて調整部材のビス孔に螺合されることが好ましい。
【００１２】
複数の調整ビスの当付部に対して個別に当接する複数の調整部材を有する形態と、複数の調整ビスの全ての当付部に対して当接する一体形状の調整部材を有する形態のいずれにすることも可能である。
【００１３】
自由度の高い傾き調整を行うべく、３つの調整ビスを用いるのが実際的である。
【００１４】
本発明の撮像素子の傾き調整方法は、撮像光学系を支持するベース部材に対して複数の調整ビスを螺合支持させると共に、該複数の調整ビスにそれぞれ設けた当付部によって光軸方向位置が決まる、少なくとも一つの調整部材を組み付けるステップと；複数の調整ビスの光軸方向位置を調整するステップと；撮像素子を支持する素子支持部材を複数の調整ビスの当付部に当接させて光軸方向位置を決めるステップと；固定ビスによって素子支持部材を調整部材に対して固定するステップと；を有することを特徴としている。
【発明の効果】
【００１５】
本発明による撮像素子の傾き調整装置及び調整方法では、調整ビスに合わせて光軸方向位置が変化する調整部材を備え、撮像素子を支持する素子取付板を、調整ビスに当接させると共に調整部材に対して固定ビスで固定させる。これにより、調整ビスを用いた無段階の傾き調整を行いつつ、素子取付板の取り付け段階では位置ずれ等のおそれなく素子取付板を簡単かつ高精度に固定することができるため、調整ビスの調整後の任意のタイミングで素子取付板の取り付けが可能となる。
【図面の簡単な説明】
【００１６】
【図１】本発明を適用した傾き調整装置及び傾き調整方法によって調整される撮像素子が搭載されるレンズ鏡筒の前方斜視図である。
【図２】同レンズ鏡筒の後方斜視図である。
【図３】同レンズ鏡筒を結像面側からみた図である。
【図４】第1の実施形態の傾き調整装置及び傾き調整方法で、レンズ鏡筒のベース部材に調整部材と調整ビスを取り付けた状態を示す後方斜視図である。
【図５】図４の状態からさらに固定ビスを用いて素子取付板を組み付けた状態を示す後方斜視図である。
【図６】図４と図５に示す調整部材、調整ビス、素子取付板及び固定ビスの分解斜視図である。
【図７】図４のＡ−Ａ線に沿う断面図である。
【図８】図５のＢ−Ｂ線に沿う断面図である。
【図９】図８よりもベース部材に対する調整ビスの螺合量を大きくした状態の断面図である。
【図１０】第２の実施形態の傾き調整装置及び傾き調整方法で、レンズ鏡筒のベース部材に調整部材と調整ビスを取り付けた状態を示す後方斜視図である。
【図１１】図１０の状態からさらに固定ビスを用いて素子取付板を組み付けた状態を示す後方斜視図である。
【図１２】図１０と図１１に示す調整部材、調整ビス、素子取付板及び固定ビスの分解斜視図である。
【図１３】図１１のＣ−Ｃ線に沿う断面図である。
【図１４】従来の撮像素子の傾き調整装置を示す断面図である。
【図１５】図１４の傾き調整装置で傾き調整を行った状態を示す断面図である。
【図１６】従来の撮像素子の傾き調整装置を示す断面図である。
【図１７】図１６の傾き調整装置でスペーサを残して素子取付板を取り外した状態を示す断面図である。
【発明を実施するための形態】
【００１７】
図１ないし図３に示すレンズ鏡筒１０は、固定環１２の内部に多段繰出式の進退筒部１４を有し、進退筒部１４内に複数のレンズ群等からなる撮影光学系１３が支持されている。図１では撮影光学系１３を構成する最も被写体（物体）側のレンズが表れている。進退筒部１４は、鏡筒駆動モータ１５の駆動力によって、図１ないし図３のように固定環１２から繰り出された繰出状態と、固定環１２内に沈胴される収納状態とに動作させることができる。以下の説明では、撮影光学系１３の光軸Ｏ（図１）に沿う方向を光軸方向と呼び、被写体（物体）側を光軸方向の前方、結像面側を光軸方向の後方とする。
【００１８】
固定環１２の後部にベース部材１６が取り付けられる。ベース部材１６は撮影光学系１３の光路の後方に開口１６ａを有し、開口１６ａ内にローパスフィルタ等の光学フィルタ１８が保持されている。図２や図３に示すように、ベース部材１６の後面側には撮像素子取付部２０が形成されている。撮像素子取付部２０は、開口１６ａの後方に位置する素子挿入空間２０ａと、素子挿入空間２０ａの周囲に形成された支持段部２０ｂを有する。素子挿入空間２０ａと支持段部２０ｂはそれぞれ後方に向けて開放された凹部である。支持段部２０ｂには、素子挿入空間２０ａを挟んだ上側に２つ、下側に１つの凹部２０ｃが形成されている。各凹部２０ｃは後述する調整部材２２が嵌る形状を有しており、調整部材２２の回転規制を行うための回り止め溝２０ｄが凹部２０ｃ内に形成されている（図４、図５）。支持段部２０ｂのうち各凹部２０ｃに対応する位置に、内面に雌ネジが形成され光軸方向に軸線が向く調整ビス孔２０ｅが形成されている（図２、図３、図７ないし図９）。また、素子挿入空間２０ａの周囲には、光軸方向後方へ突出する位置決め突起２０ｆが設けられている。 
【００１９】
図４、図７ないし図９に示すように、撮像素子取付部２０に対して調整ビス２４を用いて調整部材２２が取り付けられる。調整部材２２は撮像素子取付部２０の凹部２０ｃに嵌る外形形状を有する板状部材であり、３つの凹部２０ｃに対応して３つの調整部材２２が配設される。図６に示すように、各調整部材２２には貫通孔２２ａと固定ビス孔２２ｂが貫通形成され、貫通孔２２ａを中心とする外径方向に向けて回り止め突起２２ｃが突出している。固定ビス孔２２ｂの内面に雌ネジが形成されている。調整部材２２は、貫通孔２２ａの形成部分よりも固定ビス孔２２ｂの形成部分の方が肉厚が大きい。
【００２０】
３つの調整部材２２に対応する３つの調整ビス２４が配設される。各調整ビス２４は、外面に雄ネジが形成された軸部２４ａと、軸部２４ａよりも大径の頭部（当付部）２４ｂを有しており、頭部２４ｂには、軸部２４ａの突出方向を向く前方当付面２４ｃと、軸部２４ａの突出方向と反対側を向く後方当付面２４ｄが形成されている。前方当付面２４ｃは、軸部２４ａの軸線に対して略垂直な平面である。後方当付面２４ｄは、軸部２４ａの軸線に対して略垂直な平面と、その周縁の緩やかな湾曲断面の面取り部分によって構成される。後方当付面２４ｄの中央には回転操作用の工具が係合する角孔２４ｅが形成されている。
【００２１】
図４に示すように、３つの調整部材２２はそれぞれ、回り止め突起２２ｃを回り止め溝２０ｄに係合させて凹部２０ｃに挿入支持される。この状態で、回り止め突起２２ｃと回り止め溝２０ｄの係合によってベース部材１６に対する調整部材２２の回転が規制される。３つの調整部材２２と３つの凹部２０ｃは共通の仕様（形状）であり、３箇所の凹部２０ｃのいずれに対しても任意の調整部材２２を組み付け可能である。調整部材２２の貫通孔２２ａに調整ビス２４の軸部２４ａを挿通させ、該軸部２４ａを調整ビス孔２０ｅに螺合させる（図７）。調整ビス２４の頭部２４ｂは貫通孔２２ａよりも大径であるため、貫通孔２２ａには進入せずに前方当付面２４ｃが調整部材２２に対向する。この状態で、調整部材２２は調整ビス２４の頭部２４ｂによって支持段部２０ｂからの光軸方向後方への離脱が規制され、頭部２４ｂの前方当付面２４ｃに当接することで調整部材２２の光軸方向位置が定まる。
【００２２】
撮像素子取付部２０に３つの調整部材２２と３つの調整ビス２４を取り付けた状態で、図５や図８に示すように、３つの固定ビス３０を用いて各調整部材２２に対して素子取付板（素子支持部材）２８が固定される。素子取付板２８の前面側に撮像素子３２が支持されている（図５、図６）。撮像素子３２は受光面で受けた被写体光を光電変換して画像信号を生成させる周知のイメージセンサであり、調整部材２２に素子取付板２８を取り付けた状態で素子挿入空間２０ａ内に撮像素子３２が進入する。図６に示すように、素子取付板２８には、３つの調整部材２２の貫通孔２２ａに対応する位置に３つの貫通孔２８ａが形成され、固定ビス孔２２ｂに対応する位置に３つの貫通孔２８ｂが形成されている。また、ベース部材１６の位置決め突起２０ｆに対応する位置に位置決め孔２８ｃが形成されている。
【００２３】
３つの固定ビス３０はそれぞれ、外面に雄ネジが形成された軸部３０ａと、軸部３０ａよりも大径の頭部３０ｂを有しており、頭部３０ｂの座面を円錐形とした皿ビスである。頭部３０ｂの中央には回転操作用の工具が係合する十字溝３０ｃが形成されている。素子取付板２８の貫通孔２８ｂには、固定ビス３０の頭部３０ｂの座面に対応する座繰り加工がなされている。
【００２４】
素子取付板２８は、位置決め孔２８ｃを位置決め突起２０ｆに係合させることにより、３つの貫通孔２８ｂが３つの調整部材２２の固定ビス孔２２ｂと重なるように位置決めされる。図８に示すように、素子取付板２８は各調整ビス２４の後方当付面２４ｄに当接することで光軸方向の位置が決まる。さらに、各固定ビス３０の軸部３０ａをそれぞれ貫通孔２８ｂに挿通させて固定ビス孔２２ｂに螺合させることで、調整ビス２４の頭部２４ｂを間に挟んだ状態で３つの調整部材２２に対して素子取付板２８が固定的に支持される。回り止め突起２２ｃと回り止め溝２０ｄの係合によって調整部材２２が回転規制されているため、固定ビス３０を回転操作したときに各調整部材２２は連れ回りしない。図５に示すように、素子取付板２８を調整部材２２に固定させた状態で、３つの貫通孔２８ａを通して３つの調整ビス２４の角孔２４ｅが露出する。
【００２５】
以上の撮像素子の支持構造では、３つの調整ビス２４の頭部２４ｂ（後方当付面２４ｄ）が素子取付板２８（撮像素子３２）の光軸方向位置を決める基準となる。そのため、ベース部材１６の調整ビス孔２０ｅに対する３つの調整ビス２４の螺合量を個別に変化させて３つの頭部２４ｂの光軸方向位置を相対的に変化させると、撮影光学系１３の光軸Ｏに対する素子取付板２８の傾きを変更させることができる。
【００２６】
図９は、調整ビス孔２０ｅに対して特定の調整ビス２４の螺合量を変化させ、頭部２４ｂの位置を光軸方向前方に移動させた状態を示している。この状態では、頭部２４ｂの光軸方向位置が変更されているのみならず、頭部２４ｂの位置変化に対応して、前方当付面２４ｃに当接する調整部材２２の光軸方向位置が変化している。そして、固定ビス３０を用いて調整部材２２に素子取付板２８を固定させると、素子取付板２８は傾きが変化した状態に維持される。図９は調整ビス２４の頭部２４ｂを光軸方向前方に移動させた場合を示しているが、頭部２４ｂを光軸方向後方に移動させた場合も同様に、頭部２４ｂに追随して調整部材２２の光軸方向位置が変化し、この調整部材２２に対して固定ビス３０を用いて素子取付板２８を固定させると、素子取付板２８の傾きが図９と反対方向に変化する。
【００２７】
このように、調整ビス２４の頭部２４ｂによって光軸方向に位置決めされる素子取付板２８を、調整ビス２４の頭部２４ｂに追随して位置変化する調整部材２２に対して固定させる構成としたことで、素子取付板２８を取り付けるタイミングの自由度が高くなる。例えば、各調整部材２２と各調整ビス２４を組み付けた状態で、撮像素子３２と同条件で構成される調整用撮像素子の受光面が撮影光学系１３の光学像面と一致するように３つの調整ビス２４の螺合量を調整した上で撮像素子を取り付けずにレンズ鏡筒１０を出荷し、素子取付板２８を後から組み付けることが可能である。この場合、素子取付板２８は、各調整ビス２４の頭部２４ｂの後方当付面２４ｄに当接させ、固定ビス３０を用いて各調整部材２２に固定させるだけで傾き調整済みの状態になるため、素子取付板２８の取り付け段階で改めて傾き調整を行わなくてよい。また、調整ビス２４の頭部２４ｂを挟んで素子取付板２８と調整部材２２を固定ビス３０によって共締めする固定構造であるため、素子取付板２８の固定に際して位置ずれを生じるおそれがなく、素子取付板２８を簡単かつ高精度に傾き調整済みの状態で取り付けることができる。さらに、固定ビス３０を外すだけで素子取付板２８の取り外しも容易に行うことができる。
【００２８】
なお、図５に示すように、素子取付板２８を取り付けた状態で３つの貫通孔２８ａを通して各調整ビス２４の角孔２４ｅが露出しているため、素子取付板２８を取り付けたまま各調整ビス２４を回転操作して撮像素子３２の傾き調整を行うことも可能である。また、調整ビス２４を回転させて行う調整作業時に角穴２４ｅのエッジ周辺に微小な変形（メクレ、バリ等）が発生した場合、貫通孔２８ａが形成されていることによって、調整ビス２４のこうした変形部分と素子取付板２８との干渉を防ぐことができる。
【００２９】
図１０ないし図１３は、先に説明した第１の実施形態の３つの調整部材２２に代えて、一体構成の調整部材１２２を用いた第２の実施形態を示している。ベース部材１６の撮像素子取付部１２０には、素子挿入空間１２０ａの周囲に支持段部１２０ｂ（図１３）が形成されており、支持段部１２０ｂには３つの調整ビス孔１２０ｃ（図１３）が形成されている。調整ビス孔１２０ｃは、光軸方向後方から見て素子挿入空間１２０ａの上側に２つ、左側に１つ形成されており、図１３には素子挿入空間１２０ａの上側の２つの調整ビス孔１２０ｃが示されている。撮像素子取付部１２０にはさらに、光軸方向後方から見て素子挿入空間１２０ａの上側と左側に各１つの位置決め突起１２０ｄが突設されている。
【００３０】
調整部材１２２は、光軸方向後方から見て素子挿入空間１２０ａの上側と左側に沿って延びるＬ字形状をなしている。調整部材１２２には、ベース部材１６の３つの調整ビス孔１２０ｃに対応する位置に３つの貫通孔１２２ａが形成されている。貫通孔１２２ａは、Ｌ字形状をなす調整部材１２２の両端部付近と中間の屈曲部付近にそれぞれ１つ形成されている。調整部材１２２にはさらに、２つの固定ビス孔１２２ｂと２つの位置決め孔１２２ｃが形成されている。
【００３１】
調整部材１２２は、２つの位置決め孔１２２ｃに対してそれぞれ位置決め突起１２０ｄを係合させてベース部材１６に支持される。図１３に示すように、ベース部材１６の支持段部１２０ｂ内に形成した凹部と調整部材１２２との間に圧縮バネ１２６が挿入される。圧縮バネ１２６は、調整部材１２２の３つの貫通孔１２２ａに対応する位置に３つ設けられており、図１３にはこのうち２つの圧縮バネ１２６が示されている。
【００３２】
図１０に示すように、撮像素子取付部１２０に対して３つの調整ビス１２４を用いて調整部材１２２が保持される。第１の実施形態の調整ビス２４と同様に、各調整ビス１２４は、外面に雄ネジが形成された軸部１２４ａと、軸部１２４ａよりも大径の頭部（当付部）１２４ｂを有しており、頭部１２４ｂには、軸部１２４ａの突出方向を向く前方当付面１２４ｃと、軸部１２４ａの突出方向と反対側を向く後方当付面１２４ｄが形成されている。後方当付面１２４ｄの中央には、回転操作用の工具が係合する角孔１２４ｅが形成されている。
【００３３】
図１３に示すように、各調整ビス１２４の軸部１２４ａは、調整部材１２２の貫通孔１２２ａと圧縮バネ１２６に挿入されてベース部材１６の調整ビス孔１２０ｃに螺合する。この状態で調整ビス１２４の頭部１２４ｂの前方当付面１２４ｃが調整部材１２２に対向し、前方当付面１２４ｃに当接することで調整部材１２２の光軸方向位置が定まる。圧縮バネ１２６は、調整部材１２２を前方当付面１２４ｃに当接する方向に付勢する。調整ビス孔１２０ｃに対する３つの調整ビス１２４の螺合量を個別に変化させると、各調整ビス１２４の頭部１２４ｂの光軸方向位置が相対的に変化し、各頭部１２４ｂの位置変化に対応して、前方当付面１２４ｃに当接する調整部材１２２の傾きが変化する。
【００３４】
撮像素子１３２を支持する素子取付板（素子支持部材）１２８は、各調整ビス１２４の頭部１２４ｂにおける後方当付面１２４ｄに当接することで光軸方向の位置が決まると共に、２つの固定ビス１３０によって調整部材１２２に固定される。各固定ビス１３０は、外面に雄ネジが形成された軸部１３０ａと、軸部１３０ａよりも大径の頭部１３０ｂと、頭部１３０ｂの中央に形成され回転操作用の工具が係合する十字溝１３０ｃとを有している。素子取付板１２８には、ベース部材１６の２つの位置決め突起１２０ｄに対応する位置に２つの位置決め孔１２８ａが形成され、調整部材１２２の２つの固定ビス孔１２２ｂに対応する位置に２つの貫通孔１２８ｂが形成されている。各位置決め孔１２８ａに位置決め突起１２０ｄを係合させつつ、３つの調整ビス１２４の後方当付面１２４ｄに当接させることにより、素子取付板１２８の光軸方向位置が定まる。さらに、素子取付板１２８の各貫通孔１２８ｂに各固定ビス１３０の軸部１３０ａを挿入し、該軸部１３０ａを調整部材１２２の固定ビス孔１２２ｂに螺合させて締め付けることにより、素子取付板１２８が固定される。
【００３５】
以上の構成により、３つの調整ビス１２４の螺合量を変化させて素子取付板１２８の傾き調整を行うことができる。第１の実施形態と同様に、調整部材１２２と各調整ビス１２４を組み付けて調整ビス１２４による傾き調整を行っておくことで、素子取付板１２８の取り付け段階では、簡単かつ確実に傾き調整済みの状態で素子取付板１２８を固定させることができる。
【００３６】
以上、図示実施形態に基づき説明したが、本発明は図示実施形態に限定されるものではない。例えば、各実施形態の調整ビス２４、１２４は、素子取付板２８、１２８が当接する後方当付面２４ｄを周縁の面取り部分を除いて平面状にしているが、調整ビス２４、１２４における素子取付板２８、１２８の当接部分を球面状にすることも可能である。
【００３７】
また、調整ビス２４、１２４については、簡単な構成で自由度の高い傾き調整を行うという観点から３つにすることが好ましいが、３つ以外の数にすることも可能である。固定ビス３０、１３０の数についても、図示実施形態と異ならせることが可能である。
【００３８】
第２の実施形態で調整部材１２２と撮像素子取付部１２０の間に挿入した圧縮バネ１２６を、第１の実施形態の調整部材２２と撮像素子取付部２０の間に配することも可能である。逆に、第２の実施形態で圧縮バネ１２６を省略することも可能である。
【符号の説明】
【００３９】
１０  レンズ鏡筒
１２  固定環
１４  進退筒部
１６  ベース部材
２０  １２０  撮像素子取付部
２０ａ  １２０ａ  素子挿入空間
２０ｂ  １２０ｂ  支持段部
２０ｃ  凹部
２０ｄ  回り止め溝
２０ｅ  １２０ｃ  調整ビス孔
２０ｆ  １２０ｄ  位置決め突起
２２  １２２  調整部材
２２ａ  １２２ａ  貫通孔
２２ｂ  １２２ｂ  固定ビス孔
２２ｃ  回り止め突起
２４  １２４  調整ビス
２４ａ  １２４ａ  軸部
２４ｂ  １２４ｂ  頭部（当付部）
２４ｃ  １２４ｃ  前方当付面
２４ｄ  １２４ｄ  後方当付面
２４ｅ  １２４ｅ  角孔
２８  １２８  素子取付板（素子支持部材）
２８ａ  ２８ｂ  １２８ｂ  貫通孔
２８ｃ  １２８ａ  位置決め孔
３０  １３０  固定ビス
３０ａ  １３０ａ  軸部
３０ｂ  １３０ｂ  頭部
３２  １３２  撮像素子
１２２ｃ  位置決め孔
１２６  圧縮バネ
【図１】
2014230118.tif 000003
【図２】
2014230118.tif 000004
【図３】
2014230118.tif 000005
【図４】
2014230118.tif 000006
【図５】
2014230118.tif 000007
【図６】
2014230118.tif 000008
【図７】
2014230118.tif 000009
【図８】
2014230118.tif 000010
【図９】
2014230118.tif 000011
【図１０】
2014230118.tif 000012
【図１１】
2014230118.tif 000013
【図１２】
2014230118.tif 000014
【図１３】
2014230118.tif 000015
【図１４】
2014230118.tif 000016
【図１５】
2014230118.tif 000017
【図１６】
2014230118.tif 000018
【図１７】
2014230118.tif 000019